(57)【要約】【課題】ディスクの名称をユーザの手を煩わすことなく付与するようにする。【解決手段】ディスクに名称が付加されていないディスク情報を取得した場合、そのディスクに記憶されているデータがあるか否かを判断する。ディスクにデータが記憶されていない場合、そのディスクの名称を“Ｎｏ　Ｎａｍｅ”と設定する。ディスクにデータが記憶されている場合、記憶されているデータが録画された日時のうち、最古の録画日時と最新の録画日時が抽出され、その抽出された日時が、ディスクの名称として設定される。本発明は、記憶容量の大きいディスクを扱うビデオレコーダなどに適用できる。【選択図】　　　図７
2004039077.tif 000002
【特許請求の範囲】
【請求項１】
着脱自在の記録媒体に関する第１の情報と、前記記録媒体に記録されているコンテンツデータに関する第２の情報を少なくとも含む記録媒体情報を記憶する記憶手段と、
前記記憶手段に記憶されている前記記録媒体情報の表示が指示された場合、前記第１の情報に含まれる情報を検索し、前記記録媒体の名称が、ユーザにより付けられた名称であるか否かを判断する判断手段と、
前記判断手段により前記記録媒体の名称は、ユーザにより付けられた名称ではないと判断された場合、前記第１の情報または前記第２の情報に含まれる情報から、前記記録媒体の名称を生成する生成手段と、
前記生成手段により生成された前記記録媒体の名称、前記第１の情報、および前記第２の情報を用いて、指示された前記記録媒体情報を表示するように制御する表示制御手段と
を含むことを特徴とする情報処理装置。
【請求項２】
前記生成手段は、前記第１の情報または前記第２の情報に含まれる、前記コンテンツデータが記録された日時に関する情報のうち、最古の日時と最新の日時の情報から前記記録媒体の名称を生成する
ことを特徴とする請求項１に記載の情報処理装置。
【請求項３】
前記記録媒体は、前記記録媒体に割り振られた所定の桁数の英数字で構成される第１の識別子を記憶し、
前記第１の識別子のうちの所定の桁数で構成される英数字は、前記記録媒体のユーザが視認可能な位置に第２の識別子として表示され、
前記表示制御手段は、前記記録媒体の名称と前記第２の識別子を関連付けた表示を制御する
ことを特徴とする請求項１に記載の情報処理装置。
【請求項４】
着脱自在の記録媒体に関する第１の情報と、前記記録媒体に記録されているコンテンツデータに関する第２の情報を少なくとも含む記録媒体情報の記憶を制御する記憶ステップと、
前記記憶制御ステップの処理で記憶が制御された前記記録媒体情報の表示が指示された場合、前記第１の情報に含まれる情報を検索し、前記記録媒体の名称が、ユーザにより付けられた名称であるか否かを判断する判断ステップと、
前記判断ステップの処理で前記記録媒体の名称は、ユーザにより付けられた名称ではないと判断された場合、前記第１の情報または前記第２の情報に含まれる情報から、前記記録媒体の名称を生成する生成ステップと、
前記生成ステップの処理で生成された前記記録媒体の名称、前記第１の情報、および前記第２の情報を用いて、指示された前記記録媒体情報を表示するように制御する表示制御ステップと
を含むことを特徴とする情報処理方法。
【請求項５】
着脱自在の記録媒体に関する第１の情報と、前記記録媒体に記録されているコンテンツデータに関する第２の情報を少なくとも含む記録媒体情報の記憶を制御する記憶ステップと、
前記記憶制御ステップの処理で記憶が制御された前記記録媒体情報の表示が指示された場合、前記第１の情報に含まれる情報を検索し、前記記録媒体の名称が、ユーザにより付けられた名称であるか否かを判断する判断ステップと、
前記判断ステップの処理で前記記録媒体の名称は、ユーザにより付けられた名称ではないと判断された場合、前記第１の情報または前記第２の情報に含まれる情報から、前記記録媒体の名称を生成する生成ステップと、
前記生成ステップの処理で生成された前記記録媒体の名称、前記第１の情報、および前記第２の情報を用いて、指示された前記記録媒体情報を表示するように制御する表示制御ステップと
を含むことを特徴とするコンピュータが読み取り可能なプログラムが記録されている記録媒体。
【請求項６】
着脱自在の記録媒体に関する第１の情報と、前記記録媒体に記録されているコンテンツデータに関する第２の情報を少なくとも含む記録媒体情報の記憶を制御する記憶ステップと、
前記記憶制御ステップの処理で記憶が制御された前記記録媒体情報の表示が指示された場合、前記第１の情報に含まれる情報を検索し、前記記録媒体の名称が、ユーザにより付けられた名称であるか否かを判断する判断ステップと、
前記判断ステップの処理で前記記録媒体の名称は、ユーザにより付けられた名称ではないと判断された場合、前記第１の情報または前記第２の情報に含まれる情報から、前記記録媒体の名称を生成する生成ステップと、
前記生成ステップの処理で生成された前記記録媒体の名称、前記第１の情報、および前記第２の情報を用いて、指示された前記記録媒体情報を表示するように制御する表示制御ステップと
をコンピュータに実行させることを特徴とするプログラム。
【発明の詳細な説明】
【０００１】
【発明の属する技術分野】
本発明は情報処理装置および方法、記録媒体、並びにプログラムに関し、特に、記憶容量の大きい記録媒体を扱う装置に適用して好適な情報処理装置および方法、記録媒体、並びにプログラムに関する。
【０００２】
【従来の技術】
最近、磁気ディスク、光ディスク、光磁気ディスク、または半導体メモリなどのさまざまな記録媒体が利用されるようになってきた。例えば、ユーザは、好みの音楽データや画像データなどを、それらの記録媒体に記録したり、記録した音楽データや画像データなどを再生したり、あるいは、編集することができるようになっている。
【０００３】
【発明が解決しようとする課題】
近年、上述したようなディスクの記録容量は、増加傾向にあり、１枚のディスクで、数十本の映画が記録できる記録容量のディスクが開発され、実用化されつつある。このようなディスクにおいては、たくさんのデータが記録できるが、それらのデータを乱雑に記録すると、どのようなデータが記録されているディスクであるのかが分からなくなる。
【０００４】
従来のディスクは、１枚のディスクに１本分の映画ぐらいを記憶するための容量しか存在せず、そのために、映画のタイトルをそのままディスクの名称にしても、問題、例えば、ユーザが管理しづらいなどの問題が発生するという可能性は低かった。しかしながら、１枚のディスクに数本の映画が記録できるほどの容量を有するディスクに、そのうちの１本の映画のタイトルを、そのディスクの名称として付けることは的確な処理でなく、好ましくない。そのようにすると、ユーザがディスクを管理する上で、管理しづらくなってしまう可能性があった。
【０００５】
また、ディスクの名称は、従来からユーザにより設定できるようになっていたが、実際に、ディスクに名称を付けるユーザは少なく、また、ディスクの容量が小さいためにデータを管理する上で特にディスクに名称を付けなくても問題となるようなことは少なかった。
【０００６】
しかしながら、容量が大きいディスクでは、データを管理する上で、ディスクに名称を付けた方が良いが、ユーザが、自ら設定するといったことはユーザの手を煩わすこととなり、その結果、ディスクに名称が付けられないまま用いられることが多いと考えられる。
【０００７】
本発明はこのような状況に鑑みてなされたものであり、ユーザの手を煩わせずにディスクに名称を付け、かつ、その名称は、そのディスクを管理するうえで、管理しやすい名称であるようにすることを目的とする。
【０００８】
【課題を解決するための手段】
本発明の情報処理装置は、着脱自在の記録媒体に関する第１の情報と、記録媒体に記録されているコンテンツデータに関する第２の情報を少なくとも含む記録媒体情報を記憶する記憶手段と、記憶手段に記憶されている記録媒体情報の表示が指示された場合、第１の情報に含まれる情報を検索し、記録媒体の名称が、ユーザにより付けられた名称であるか否かを判断する判断手段と、判断手段により記録媒体の名称は、ユーザにより付けられた名称ではないと判断された場合、第１の情報または第２の情報に含まれる情報から、記録媒体の名称を生成する生成手段と、生成手段により生成された記録媒体の名称、第１の情報、および第２の情報を用いて、指示された記録媒体情報を表示するように制御する表示制御手段とを含むことを特徴とする。
【０００９】
前記生成手段は、第１の情報または第２の情報に含まれる、コンテンツデータが記録された日時に関する情報のうち、最古の日時と最新の日時の情報から記録媒体の名称を生成するようにすることができる。
【００１０】
前記記録媒体は、記録媒体に割り振られた所定の桁数の英数字で構成される第１の識別子を記憶し、第１の識別子のうちの所定の桁数で構成される英数字は、記録媒体のユーザが視認可能な位置に第２の識別子として表示され、表示制御手段は、記録媒体の名称と第２の識別子を関連付けた表示を制御するようにすることができる。
【００１１】
本発明の情報処理方法は、着脱自在の記録媒体に関する第１の情報と、記録媒体に記録されているコンテンツデータに関する第２の情報を少なくとも含む記録媒体情報の記憶を制御する記憶ステップと、記憶制御ステップの処理で記憶が制御された記録媒体情報の表示が指示された場合、第１の情報に含まれる情報を検索し、記録媒体の名称が、ユーザにより付けられた名称であるか否かを判断する判断ステップと、判断ステップの処理で記録媒体の名称は、ユーザにより付けられた名称ではないと判断された場合、第１の情報または第２の情報に含まれる情報から、記録媒体の名称を生成する生成ステップと、生成ステップの処理で生成された記録媒体の名称、第１の情報、および第２の情報を用いて、指示された記録媒体情報を表示するように制御する表示制御ステップとを含むことを特徴とする。
【００１２】
本発明の記録媒体のプログラムは、着脱自在の記録媒体に関する第１の情報と、記録媒体に記録されているコンテンツデータに関する第２の情報を少なくとも含む記録媒体情報の記憶を制御する記憶ステップと、記憶制御ステップの処理で記憶が制御された記録媒体情報の表示が指示された場合、第１の情報に含まれる情報を検索し、記録媒体の名称が、ユーザにより付けられた名称であるか否かを判断する判断ステップと、判断ステップの処理で記録媒体の名称は、ユーザにより付けられた名称ではないと判断された場合、第１の情報または第２の情報に含まれる情報から、記録媒体の名称を生成する生成ステップと、生成ステップの処理で生成された記録媒体の名称、第１の情報、および第２の情報を用いて、指示された記録媒体情報を表示するように制御する表示制御ステップとを含むことを特徴とする。
【００１３】
本発明のプログラムは、着脱自在の記録媒体に関する第１の情報と、記録媒体に記録されているコンテンツデータに関する第２の情報を少なくとも含む記録媒体情報の記憶を制御する記憶ステップと、記憶制御ステップの処理で記憶が制御された記録媒体情報の表示が指示された場合、第１の情報に含まれる情報を検索し、記録媒体の名称が、ユーザにより付けられた名称であるか否かを判断する判断ステップと、判断ステップの処理で記録媒体の名称は、ユーザにより付けられた名称ではないと判断された場合、第１の情報または第２の情報に含まれる情報から、記録媒体の名称を生成する生成ステップと、生成ステップの処理で生成された記録媒体の名称、第１の情報、および第２の情報を用いて、指示された記録媒体情報を表示するように制御する表示制御ステップとをコンピュータに実行させることを特徴とする。
【００１４】
本発明の情報処理装置および方法、並びにプログラムにおいては、記録媒体に関する情報と、その記録媒体に記録されているデータに関する情報が記憶され、その記憶されている情報の表示が指示された場合、記録媒体に記録媒体自体の名称が付けられていない記録媒体には名称が付加され、その付加された名称が他の情報とともに表示される。
【００１５】
【発明の実施の形態】
以下に、本発明の実施の形態について図面を参照して説明する。図１は、本発明を適用したＡＶシステムの構成例を示す図である。このＡＶシステムは、例えば、ディスク１に記録されている映像や音声などのコンテンツデータを再生したり、あるいは、ディスク１に対して所定の情報を記録することができる。
【００１６】
ディスク１は、ＡＶシステムの図示せぬドライブに挿入されている。このディスク１は、例えば、ＣＤ−Ｒ（Ｃｏｍｐａｃｔ　Ｄｉｓｃ−Ｒｅｃｏｒｄａｂｌｅ），ＣＤ−ＲＷ（ＣＤ−ＲｅＷｒｉｔａｂｌｅ），ＤＶＤ−Ｒ（Ｄｉｇｉｔａｌ　Ｖｅｒｓａｔｉｌｅ　Ｄｉｓｃ−Ｒｅｃｏｒｄａｂｌｅ）、またはＤＶＤ−ＲＷ（ＤＶＤ−ＲｅＷｒｉｔａｂｌｅ）といった書き込み可能な記録媒体であり、それらのデータ記録領域に、映像や音声のコンテンツデータを記録したり、あるいは、コンテンツデータに付随する付加情報（例えば、ディスク名やタイトル名など）を記録することができる。１枚のディスク１には、複数のタイトル名を記録することができる。
【００１７】
またディスク１の所定の記録領域には、ディスク毎に固有の、例えば、１６桁からなるディスクＩＤが予め記録されているとともに、そのディスクＩＤの所定桁（例えば、ディスクＩＤの下４桁）がカートリッジＩＤとしてディスク１の表面に可視表示されている。
【００１８】
なお、図１の例においては、ディスク１を１つしか図示していないが、ディスクチェンジャ機能を有するＡＶシステムの場合には、複数のディスク１を挿入させることができる。
【００１９】
情報制御部２は、入力部１０から供給されるユーザの操作に対応する入力信号に基づいて、所定の制御プログラムを実行し、記録再生部３、カレントディスク情報管理部４、ストレージ情報管理部５、または名称付加部６を制御する。また情報制御部２は、記録再生部３から供給されるコンテンツデータに対応する映像を表示部８に出力し、対応する音声をスピーカ９に出力する。さらに情報制御部２は、カレントディスク情報管理部４またはストレージ情報管理部５から供給される各種情報（後述するディスク情報やタイトル情報）を、表示部８に出力する。
【００２０】
記録再生部３は、情報制御部２の制御の下、情報制御部２から供給されたコンテンツデータをディスク１に記録し、あるいは、ディスク１に記録されているコンテンツデータを読み出して情報制御部２に供給する。また記録再生部３は、情報制御部２の制御の下、ユーザによって入力された各種情報をディスク１に記録する。
【００２１】
カレントディスク情報管理部４は、挿入されているディスク１からカレント情報を取得し、情報制御部２に供給する。ストレージ情報管理部５は、情報制御部２から取得したカレント情報を記憶部８に格納したり、あるいは、記憶部８に格納されているカレント情報を読み出して情報制御部２に供給する。
【００２２】
記憶部８は、例えば、大容量のハードディスクドライブなどで構成され、ストレージ情報管理部５の管理の下、ディスク１から取得されたカレント情報を格納する。カレント情報には、少なくともディスクＩＤと、そのディスクＩＤに関連するタイトルＮｏが関連付けられて含まれている。
【００２３】
本実施の形態においては、ディスク１が挿入されると、記憶部８に空き容量がある限り、カレント情報が逐次格納される。また、記憶部８に空き容量がない場合には、情報が自動的に上書きされるか、あるいは、メッセージを表示してユーザに不要な情報を削除させた後、新しい情報が格納される。
【００２４】
表示部８は、ＬＣＤ（Ｌｉｑｕｉｄ　Ｃｒｙｓｔａｌ　Ｄｉｓｐｌａｙ）などの表示装置で構成され、ディスク１に記録されているコンテンツデータを再生（表示）したり、あるいは、後述するライブラリリスト画面５１（図６）などを表示する。
【００２５】
入力部１０は、本体に設けられたボタン、スイッチ、キーボード、マウス、またはジョグダイヤルであってもよいし、あるいは、本体とは別体で構成されるリモートコマンダでもよい。
【００２６】
図２は、記憶部８が格納するカレント情報の一例を示している。記憶部８には、ディスク情報２１に関連付けて、タイトル情報２２−１乃至２２−Ｎ（以下、タイトル情報２２−１乃至２２−Ｎを個々に区別する必要がない場合、単にタイトル情報２２と記載する）が格納されている。なお、図２の例においては、ディスク情報２１を１つしか図示していないが、複数のディスク情報２１を格納することができ、各ディスク情報２１に関連付けて、タイトル情報２２−１乃至２２−Ｎがそれぞれ格納される。
【００２７】
ディスク情報２１には、ディスクＩＤ、ディスク名、ディスクロックフラグ、ディスク残量、総タイトル数、および録画日時などが含まれている。ディスクＩＤは、ディスク１毎に固有の、例えば、１６桁の英数字からなる識別子を示し、ディスク１に予め記録されている。ディスク名は、ユーザが任意に付けることが可能なディスク１の名称を示す。ディスクロックフラグは、ディスク１に記録されている情報のロックの有無に関するフラグを示す。ディスク残量は、ディスク１に記録することが可能な記憶容量を示す。総タイトル数は、後述するタイトル情報２２−１乃至２２−Ｎの総数を示す。録画日時は、ディスク１に録画されたコンテンツデータの最古および最新の日時を示す。
【００２８】
タイトル情報２２−１乃至２２−Ｎには、タイトルＮｏ、タイトル固有番号、タイトル名、チャンネル名、録画日時、未視聴フラグ、および録画長などが含まれている。タイトルＮｏは、ディスク１内において識別可能な番号を示す。タイトル固有番号は、コンテンツデータ毎に固有の番号を示す。タイトル名は、コンテンツデータの名称を示す。チャンネル名は、コンテンツデータが放送された放送局を示す。録画日時は、コンテンツデータが録画された日時を示す。未視聴フラグは、コンテンツデータの視聴の有無に関するフラグを示す。録画長は、コンテンツデータの長さを示す。
【００２９】
図３は、記憶部８に格納されるカレント情報のデータ構造を示している。このデータ構造においては、５０枚のディスク１のディスク情報２１−１乃至２１−５０を格納することが可能で、かつ、各ディスク情報２１−１乃至２１−５０に関連付けて、それぞれ、２００個のタイトル情報２２−１−１乃至２１−５０−２００を格納することが可能であるが、これは単なる例である。
【００３０】
記憶部８は、例えば、ブロック０乃至１０７の計１０８個のブロックで構成されており、各ブロックは、１６ｋｂｙｔｅの容量を持っている。以下において、適宜、ブロック０乃至１０２をＳｔｏｒａｇｅ（ストレージ）エリアと称し、ブロック１０３乃至１０７をＴｅｍｐ（テンプ）エリアと称することにする。
【００３１】
ブロック０（Ｔｏｃ）には、１５ｋｂｙｔｅからなるＴｏｃ（Ｔａｂｌｅ　ｏｆ　Ｃｏｎｔｅｎｔｓ）情報などが格納されている。ブロック１，２（Ｄｉｓｃ）には、それぞれ、ディスク情報２１−１乃至２１−２５、またはディスク情報２１−２６乃至２１−５０などが格納されており、各ディスク情報は、６００ｂｙｔｅの容量を持っている。ブロック３乃至１０２（Ｔｉｔｌｅ）には、それぞれ、タイトル情報２２−１−１乃至２２−１−１００、タイトル情報２２−１−１０１乃至２２−１−２００、・・・タイトル情報２２−５０−１０１乃至２２−５０−２００などが格納されており、各タイトル情報は、１６０ｂｙｔｅの容量を持っている。
【００３２】
図３の例の場合、１ブロックに２５枚分のディスク情報２１が格納されるとともに、１ブロックに１００タイトル分のタイトル情報２２が格納される。また、各ブロックに存在するリザーブ（Ｒｅｓｅｒｖｅｄ）とは、未使用エリアを示している。
【００３３】
ブロック１０３（Ｔｅｍｐ　Ｈｅｄｄｅｒ）には、挿入ディスクに記録されているコンテンツデータの位置情報などが格納される。ブロック１０４（Ｔｅｍｐ　Ｔｏｃ）には、挿入ディスクのＴｏｃ情報が格納される。ブロック１０５（Ｔｅｍｐ　Ｄｉｓｃ）には、挿入ディスクのディスク情報が格納される。ブロック１０６，１０７（Ｔｅｍｐ　Ｔｉｔｌｅ１，Ｔｅｍｐ　Ｔｉｔｌｅ２）には、挿入ディスクのタイトル情報がそれぞれ格納される。これらブロック１０３乃至１０７は、情報の不整合をなくすための２重化処理用のブロックとして設けられている。
【００３４】
ここで不整合とは、データを記憶部８に書き込む途中で不用意に電源がオフされたりすることによって、１つのデータにおいて、途中までは更新されたデータとなり、それ以降が古いデータとなることである。
【００３５】
本実施の形態においては、１枚のディスク１に対し、１ブロック（１つ）のＴｏｃ情報、１ブロック（１つ）のディスク情報、および２ブロック（複数）のタイトル情報を同時に操作することで情報の不整合を防止する。例えば、ディスクＩＤが“０”の場合、Ｔｏｃ情報が格納されているブロック０、ディスク情報２１−１が格納されているブロック１、およびタイトル情報２２−１−１乃至２２−１−２００が格納されているブロック３およびブロック４をセットにして扱うようにする。
【００３６】
また、情報の書き込みまたは読み出しは、ブロック毎に行うようにする。さらに、後述する処理によって、Ｔｅｍｐエリアに格納されている情報が、Ｓｔｏｒａｇｅエリアに全てコピーされると、ＴｅｍｐエリアのＴｅｍｐ　Ｈｅｄｄｅｒ（ブロック１０３）はクリアされる。
【００３７】
次に、図４のフローチャートを参照して、図１のＡＶシステムが実行する定常処理について説明する。
【００３８】
ステップＳ１において、情報制御部２は、ユーザの操作に応じてＡＶシステムの電源がオンされたか否かを判断し、電源がオンされるまで待機状態を維持する。ステップＳ１において、電源がオンされたと判断された場合、ステップＳ２に進み、情報制御部２は、ストレージ情報管理部５を制御し、２重化処理を行わせる。ここで、図５のフローチャートを参照して、２重化処理の詳細について説明する。
【００３９】
ステップＳ２１において、ストレージ情報管理部５は、記憶部８のＴｅｍｐエリアのＴｅｍｐ　Ｈｅｄｄｅｒ（ブロック１０３）に格納されている情報を読み出す。ステップＳ２２において、ストレージ情報管理部５は、ステップＳ２１の処理で読み出したＴｅｍｐ　Ｈｅｄｄｅｒの情報がクリアであるか否かを判断し、Ｔｅｍｐ　Ｈｅｄｄｅｒの情報がクリアであると判断した場合、ステップＳ２３に進む。
【００４０】
ステップＳ２３において、ストレージ情報管理部５は、Ｔｅｍｐ　Ｈｅｄｄｅｒの情報がクリアであると判断されることによって、Ｓｔｏｒａｇｅエリアに格納されている各種情報が有効なものであると判断し、ＳｔｏｒａｇｅエリアのＴｏｃ（ブロック０）に格納されているＴｏｃ情報を読み出す。
【００４１】
ステップＳ２２において、Ｔｅｍｐ　Ｈｅｄｄｅｒの情報がクリアではないと判断された場合、ステップＳ２４に進み、ストレージ情報管理部５は、Ｓｔｏｒａｇｅエリアに格納されている各種情報が無効なものであると判断し、ＴｅｍｐエリアのＴｅｍｐ　Ｔｏｃ（ブロック１０４）に格納されているＴｏｃ情報を読み出し、それをＳｔｏｒａｇｅエリアのＴｏｃ（ブロック０）にコピーする。
【００４２】
ステップＳ２５において、ストレージ情報管理部５は、Ｔｅｍｐ　Ｈｅｄｄｅｒの情報に従って、ＴｅｍｐエリアのＴｅｍｐ　Ｄｉｓｃ（ブロック１０５）に格納されているディスク情報を読み出し、それをＳｔｏｒａｇｅエリアのＤｉｓｃ（例えば、ブロック１）にコピーする。
【００４３】
ステップＳ２６において、ストレージ情報管理部５は、Ｔｅｍｐ　Ｈｅｄｄｅｒの情報に従って、ＴｅｍｐエリアのＴｅｍｐ　Ｔｉｔｌｅ１（ブロック１０６）に格納されているタイトル情報を読み出し、それをＳｔｏｒａｇｅエリアのＴｉｔｌｅ（例えば、ブロック３）にコピーする。またＴｅｍｐ　Ｔｉｔｌｅ２（ブロック１０７）にもタイトル情報が格納されている場合には、それをＳｔｏｒａｇｅエリアのＴｉｔｌｅ（例えば、ブロック４）にコピーする。
【００４４】
ステップＳ２７において、ストレージ情報管理部５は、ＴｅｍｐエリアのＴｅｍｐ　Ｈｅｄｄｅｒ（ブロック１０３）の情報をクリアする。
【００４５】
このように、Ｓｔｏｒａｇｅエリアに格納されている各種情報が無効である場合には、ステップＳ２４乃至Ｓ２７の処理によって、Ｔｅｍｐエリアに格納されている有効な情報がコピーされるため、データの整合性を保つことができる。
【００４６】
ステップＳ２３またはステップＳ２７の処理の後、図４のステップＳ３にリターンする。情報制御部２は、ストレージ情報管理部５を制御し、Ｔｏｃ情報をキーにして、ディスク情報およびタイトル情報を取得させる。すなわち、ストレージ情報管理部５は、図５を用いて上述したステップＳ２３またはステップＳ２４の処理により読み出したＴｏｃ情報に基づいて、記憶部８からディスク情報およびタイトル情報を取得する。
【００４７】
ステップＳ４において、情報制御部２は、図示せぬドライブにディスク１が挿入されているか否かを判断し、ディスク１が挿入されていると判断した場合、ステップＳ５に進み、カレントディスク情報管理部４を制御し、挿入されているディスク１からカレント情報を読み出させる。
【００４８】
ステップＳ４において、ディスク１が挿入されていないと判断された場合、ステップＳ５の処理はスキップされる。ステップＳ６において、情報制御部２は、ユーザによりライブラリリストの表示が要求されたか否かを判断し、ライブラリリストの表示が要求されるまで待機する。
【００４９】
ステップＳ６において、ライブラリリストの表示が要求されたと判断された場合、ステップＳ７に進む。ステップＳ７において、情報制御部２は、カレントディスク情報管理部４から取得したカレント情報、および、ストレージ情報管理部５から取得したディスク情報を用いてディスクの名称の付加処理を実行する。ステップＳ７における名称付加処理については、図７を参照して、後述する。
【００５０】
ステップＳ８において、情報制御部２は、名称付加部６における処理が施されたデータ、カレントディスク情報管理部４から取得したカレント情報、および、ストレージ情報管理部５から取得したディスク情報を表示部８に出力し、ライブラリリストとして表示させる。
【００５１】
図６は、ライブラリリスト画面５１の表示例を示している。このライブラリリスト画面５１には、ライブラリリスト表示エリア５２、カーソル５３、挿入ディスクマーク５４、表示順設定エリア５５、決定ボタン５６、ツールボタン５７、および戻るボタン５８などが表示されている。
【００５２】
ライブラリリスト表示エリア５２には、カレントディスク情報管理部４およびストレージ情報管理部５から取得したディスク情報のうち、カートリッジＩＤ（ディスクＩＤの一部）、ディスク名、およびディスク残量がリスト表示されており、「０１３４（カートリッジＩＤ）、浜崎×××（ディスク名）、１２．０ＧＢ（ディスク残量）」のディスク情報がカーソル５３により選択されている状態を図６では示している。また、挿入ディスクマーク５４は、「５２８１、△△ＳＴＯＲＹ、５．８ＧＢ」のディスク情報を持つディスク１が挿入されていることを示している。
【００５３】
表示順設定エリア５５には、「番号」、「名称」、および「残量」の項目が表示されており、ユーザがいずれか１つを選択することにより、その項目順（カートリッジＩＤ順、ディスク名順、または残量の多い順）にソートすることができるようになされている。図６の例の場合、番号（カートリッジＩＤ）順にソートされている。
【００５４】
ボタン５６乃至５８は、それぞれ、サブメニュー６１（図８Ａまたは図８Ｂ）を表示するとき、情報の検索などを行うツールを表示するとき、または、ライブラリリスト画面５１を終了するとき、ユーザが入力部１０を操作することによって選択される。
【００５５】
ライブラリリスト表示エリア５２に表示されている情報をさらに参照して説明する。「０００７　［ディスクロックされています］」というディスク情報は、そのディスクがロックされていることを示し、そのために、ディスクの内容が見られないこと（ディスク名が表示されないこと）を示している。
【００５６】
「１５１１　［Ｎｏ　Ｎａｍｅ］　１８．１ＧＢ」というディスク情報のうち、［Ｎｏ　Ｎａｍｅ］は、何も記録されていないディスクであることを示しており、からのディスクであることを示している。
【００５７】
「３５９４　［１９９９／１１／２１〜２００１／１０／３１］　１．１ＧＢ」というディスク情報のうち、［１９９９／１１／２１〜２００１／１０／３１］は、ユーザがディスクに対して名称を付けなかったために、名称付加部６（図１）でディスクの名称を付けたことを示し、この場合、その名称は、ディスクに記録されている最も古い日時の情報と、最も新しい日時の情報の、それぞれの日時である。
【００５８】
ディスクの名称は、“○○特集１”や“浜崎×××”のように、ユーザにより付けられるが、ユーザが付けなかった場合、上述したように、ディスクに記録されている情報の日時により、名称を装置側で付け、その付けられた名称をユーザに提示するようにする。
【００５９】
このようにすることで、全く名称がついていないよりも、ユーザにディスクに記録されている情報の内容を認識させやすくなり、ユーザがディスクを管理しやすくなる。
【００６０】
このようなディスクの名称の付け方、すなわち、名称付加部６（図１）が、ステップＳ７（図４）で行う名称付加処理について、図７のフローチャートを参照して説明する。ステップＳ４１において、名称付加部６は、ディスク情報２１（図２）を取得する。ディスク情報２１は、上述したように、ディスクＩＤ、ディスク名、ディスクロックフラグ、ディスク残量、総タイトル数、録画日時（最古、最新）を含む情報であり、カレントディスク情報管理部４とストレージ情報管理部５から、名称付加部６に供給される。
【００６１】
名称付加部６には、１枚のディスク分毎にディスク情報２１が供給され、図７の名称付加処理は、その１枚のディスク分毎に行われる。名称付加部６は、ステップＳ４２において、供給されたディスク情報２１を用いて、ディスク名が付けられているか否かを判断する。ステップＳ４２における判断は、取得されたディスク情報２１に含まれるディスク名を参照することにより行われる。すなわち、ディスク名が空欄になっているようなディスクは、ディスク名が付けられていないディスクであると判断する。
【００６２】
ステップＳ４２において、ディスク名がついていると判断された場合、名称付加部６でディスク名を付加する必要はないので、図７に示した名称付加処理は終了され、図４のステップＳ８にリターンする。このように、名称付加部６において名称が付加されない場合、取得されたディスク情報は、そのまま、情報制御部２に供給され、情報制御部２において、ステップＳ８以降の処理が実行される。
【００６３】
一方、ステップＳ４２において、ディスク名は付けられていないと判断された場合、ステップＳ４３に進む。ステップＳ４３において、取得されたディスク情報２１から、処理対象とされているディスクには、データが記憶されているか否かが判断される。この判断は、取得されたディスク情報２１の総タイトル数を参照することにより行われる。
【００６４】
すなわち、総タイトル数が０の場合、そのディスクに記憶されているデータは無いことを示しており、ステップＳ４３における判断は、総タイトル数が０であるか否かを判断することにより行われる。ステップＳ４３において、処理対象とされているディスクにデータは記憶されていないと判断された場合、ステップＳ４４に、データは記憶されていると判断された場合、ステップＳ４５に、それぞれ進む。
【００６５】
ステップＳ４５において、日時によりディスクの名称が付けられる。名称付加部６は、取得したディスク情報２１から、録画日時を読み出す。録画日時の情報は、最も古いタイトルが記憶された日時（最古の日時）と、最も新しいタイトルが記憶された日時（最新の日時）から構成されている。
【００６６】
上述したように、ディスク名が付けられていないディスクに対しては、最古の日時と最新の日時を用いた名称が付加される。名称は、［最古の日時〜最新の日時］という形で付けられる。仮に１つのタイトルしか記憶されていない場合、最古の日時しか存在しないため、［最古の日時〜　　　］といった形で名称が付加され、最新の日時の部分は、空欄とされる。
【００６７】
このようにして名称が付けられると、その情報が、情報制御部２に、他のディスク情報２１とともに供給され、情報制御部２は、それらの情報を用いて、ステップＳ８以降の処理を実行する。
【００６８】
一方、ステップＳ４３において、記憶されているデータはないと判断された場合、ステップＳ４４に進み、そのディスクに対しては［Ｎｏ　Ｎａｍｅ］という名称が付加される。このようにして名称が付けられると、その情報が、情報制御部２に、他のディスク情報２１とともに供給され、情報制御部２は、それらの情報を用いて、ステップＳ８以降の処理を実行する。
【００６９】
ここでは、録画日時を用いてディスク名を生成したが、他の情報を用いてディスク名を生成するようにしても良い。例えば、録画日時が最古のタイトルと録画日時が最新のタイトルを用いて、［録画日時が最古のタイトル〜録画日時が最新のタイトル］といった形でディスク名を作成するようにしても良い。
【００７０】
このようにディスク名にタイトルを用いる場合、録画日時を用いる場合とは異なり、名称の字数が予め定まらないため、名称が長くなってしまったり、短くなってしまうことが考えられる。ディスクの名称にタイトルを用いる場合には、このようなことを考慮し、何らかの字数の制限を設けるようにする必要がある。
【００７１】
上述した実施の形態においては、図２に示したように、ディスク情報２１として、最古の録画日時と最新の録画日時を記憶するようにしたため、その情報を用いて図７に示したフローチャートの処理で名称付加処理を実行するようにしたが、録画日時をディスク情報２１として記憶させないようにした場合は、図８のフローチャートに従って名称付加処理が実行される。
【００７２】
図８のステップＳ５１乃至Ｓ５４，Ｓ５８の処理は、図７のステップＳ４１乃至Ｓ４５の処理と同様であり、換言すれば、図８のフローチャートは、図７のフローチャートに対して、ステップＳ５５乃至Ｓ５７の処理を追加した構成とされており、その他の処理は図７に示したフローチャートにおける処理と同様であるので、その説明は省略する。
【００７３】
ステップＳ５３において、処理対象とされているディスクに記憶されているデータがあると判断されると、ステップＳ５５に進み、タイトル情報２２の取得が行われる。タイトル情報２２には、図２に示したように各タイトル毎に録画日時が記憶されている。そこで、名称付加部６は、取得したタイトル情報２２の録画日時を参照し、ステップＳ５６とステップＳ５７の処理を実行する。
【００７４】
すなわち、ステップＳ５６において、最古の録画日時を検索し、ステップＳ５７において、最新の録画日時を検索する。その検索された結果が用いられて、ステップＳ５８の処理が行われる。このステップＳ５８の処理は、基本的に、図７に示したステップＳ４５の処理と同様に行われる。
【００７５】
このようにして、最古と最新の録画日時を検索し、その検索結果を用いてディスクに名称を付けるようにしても良いし、さらに、その検索結果を用いて、その結果に対応するタイトルを名称として付けるようにしても良い。
【００７６】
上述した実施の形態においては、録画日時を基にディスクの名称を付加するようにしたが、録画日時にかかわらず、また録画日時に関わる情報（最古、最新のタイトルなど）にかかわらず、他の情報を用いるようにしても良い。例えば、ディスク名がないディスクに記録されているタイトルを検索し、最も多いタイトルを、そのディスクの名称として付加するようにしても良い。
【００７７】
このようにした場合、図９に示したフローチャートの処理に従って名称付加処理が行われる。図９のステップＳ６１乃至Ｓ６４の処理は、図７のステップＳ４１乃至Ｓ４４の処理と同様であり、換言すれば、図９のフローチャートは、図７のフローチャートに対して、ステップＳ６５乃至Ｓ６７の処理を追加した構成とされており、その他の処理は図７に示したフローチャートにおける処理と同様であるので、その説明は省略する。
【００７８】
ステップＳ６５において、タイトル情報２２が取得される。取得されたタイトル情報２２からタイトル名が抽出される。抽出されたタイトル名が用いられて、ステップＳ６６の処理が実行される。ステップＳ６６において、抽出されたタイトル名のうち最も多いタイトル名を抽出する。
【００７９】
最も多いタイトル名が抽出されると、そのタイトル名をディスクの名称とする処理が、ステップＳ６７において行われる。１つのタイトル名しかディスクに記憶されていない場合には、そのタイトル名がディスク名とされる。
【００８０】
複数のタイトル名がディスクに記憶されているが、どのタイトル名も１回づつ使われているような場合、または、同一回数使われているタイトル名が複数存在するような場合、どのタイトル名をディスク名とするかの規則を予め設定しておき、その設定に基づきディスク名が決定される。その規則とは例えば、録画日時が最古のタイトル名をディスク名にする、最も短いタイトル名をディスク名にするなどである。
【００８１】
このように、タイトル名をそのままディスク名にしても良いが、タイトル名から、さらに、例えば名詞のみを抽出し、その抽出された名詞のなかで、最も多く用いられていた名詞をディスクの名称として付加するようにしても良い。
【００８２】
このようにして、ユーザによりディスクに、そのディスクの名称が付加されていないような場合、上述したような方法により、ディスクに名称が付加される。このように、ディスクに名称が付加されることにより、ユーザがディスクにどのようなデータが記憶されているのかを認識しやすくなり、ディスクの管理がしやくすくなる。
【００８３】
このようにしてディスクに名称が付加されたデータを含むデータが、情報制御部２に供給され、処理されることにより、表示部８上には、図６に示したような画面が表示される。
【００８４】
図４のフローチャートの説明に戻り、ステップＳ８において、リストが表示されると、ステップＳ９において、情報制御部２は、ユーザにより所定の処理（例えば、再生予約、検索、削除、他のリストの表示など）が要求されたか否かを判断し、所定の処理が要求されたと判断した場合、ステップＳ１０に進み、所定の処理を行う。
【００８５】
ここで、ステップＳ１０の処理の具体例として、他のリストの表示が指示された場合の処理について説明する。例えば、ユーザが、図６に示したライブラリリスト画面５１において、入力部１０を操作して、リストの中から所定の項目（いまの場合、「０１３４、浜崎×××、１２．０ＧＢ」のディスク情報）をカーソル５３で選択し、決定ボタン５６を押下すると、情報制御部２は、ユーザからの指示に基づいて、図１０Ａに示されるようなライブラリリストのサブメニュー６１を表示部８に表示させる。このサブメニュー６１には、ユーザが選択可能な、「閉じる」、「タイトルリスト」、「ディスク情報」、および「リスト登録削除」などの項目が表示されている。
【００８６】
なお、ディスクロックされているディスク情報（図６の例の場合、「０００７、ディスクロックされています」のディスク情報）がカーソル５３により選択され、決定ボタン５６が押下された場合には、図１０Ｂに示されるようなサブメニュー６１が表示される。このサブメニュー６１には、ユーザが選択可能な、「閉じる」、および「リスト登録削除」などの項目が表示されている。
【００８７】
そしてユーザが、図１０Ａに示すサブメニュー６１において、「ディスク情報」の項目をカーソル６２で選択すると、情報制御部２は、ストレージ情報管理部５から取得したタイトル情報のうち、ユーザにより選択されたディスク情報に関連付けられている所定のタイトル情報（いまの場合、「０１３４」のカートリッジＩＤ、および「浜崎×××」のディスク名を持つディスク情報のタイトル情報）を表示部８に出力し、ディスク情報として表示させる。
【００８８】
その結果、図３２に示されるようなディスク情報のダイアログ画面７１が表示される。このダイアログ画面７１には、ディスク情報の詳細情報７２、閉じるボタン７３、および戻るボタン７４などが表示されている。
【００８９】
詳細情報７２には、ディスク名、タイトル数、ディスクＩＤ、録画日、およびディスク残量などの情報が表示されている。ボタン７３，７４は、それぞれ、ライブラリリスト画面５１（図６）に戻るとき、ユーザによって選択される。
【００９０】
図１１に示した例は、図６に示したライブラリリスト画面５１において、「０１３４　浜崎×××　１２．０ＧＢ」が選択されたときのディスク情報のダイアログ画面７１である。従って、ディスク名の欄には、ユーザにより付けられたディスク名である“浜崎×××”と表示されている。
【００９１】
図６に示したライブラリリスト画面５１において、「３５９７　［１９９９／１１／２１〜２００１／１０／３１］　１．１ＧＢ」が選択された場合、すなわち、ディスク名が、ユーザに付加されたのではなく、装置側で付加したディスク情報が選択された場合、図１２に示すようなディスク情報のダイアログ画面７１が表示部８上に表示される。
【００９２】
図１２に示したダイアログ画面７１において、ディスク名の欄には、何も表示されていない。これは、ディスク名がユーザにより付加されていないことを示す。このように、ディスク名の欄に何も表示しないことで、ユーザに、ディスク名が付加されていないことを認識させ、ディスク名を付加させることを喚起させるようにする。
【００９３】
このように、ユーザによりディスク名が付加されていない場合、上述したように何も表示させなくても良いが、例えば、“ディスク名がありません。付けてください”といったようなメッセージを、ディスク名の欄に表示させるようにしても良い。
【００９４】
図４のステップＳ１０の処理として、このような表示が行われた後、または、ステップＳ９において、所定の処理は要求されていないと判断された場合、ステップＳ１１に進む。情報制御部２は、ステップＳ１１において、ディスク１の取り出しが要求されたか否かを判断し、ディスク１の取り出しが要求されていないと判断した場合、ステップＳ１４に進む。一方、ディスク１の取り出しが要求されたと判断した場合、ステップＳ１２に進み、情報制御部２は、カレントディスク情報管理部４を制御し、挿入されているディスク１からカレント情報を読み出させる。すなわち、情報制御部２は、録画あるいは編集などによりディスク１の情報が書き換えられていることを考慮し、ステップＳ１２において、最新の情報を取得する。
【００９５】
ステップＳ１３において、情報制御部２は、ストレージ情報管理部５を制御し、カレントディスク情報管理部４から取得したカレント情報に基づいて、２重化格納処理を行わせる。
【００９６】
ここで、図１３のフローチャートを参照して、２重化格納処理の詳細について説明する。
【００９７】
ステップＳ８１において、ストレージ情報管理部５は、記憶部８のＴｅｍｐエリアのＴｅｍｐ　Ｔｏｃ（ブロック１０４）に、取得したカレント情報に含まれるＴｏｃを格納する。ステップＳ８２において、ストレージ情報管理部５は、ＴｅｍｐエリアのＴｅｍｐＤｉｓｃ（ブロック１０５）に、変更したディスク情報が存在するブロックを格納する。ディスク情報は、上述したようにＳｔｏｒａｇｅエリアのブロック１またはブロック２に存在し、いずれか１ブロックでよい。
【００９８】
ステップＳ８３において、ストレージ情報管理部５は、変更したディスク情報に含まれるタイトル情報が１００タイトル以下であるか否かを判断し、１００タイトル以下であると判断した場合、ステップＳ８４に進み、ＴｅｍｐエリアのＴｅｍｐ　Ｔｉｔｌｅ１（ブロック１０６）にタイトル情報を格納する。
【００９９】
ステップＳ８３において、変更したディスク情報に含まれるタイトル情報が１００タイトル以下ではない、すなわち、１０１タイトル以上あると判断された場合、ステップＳ８５に進み、ストレージ情報管理部５は、ＴｅｍｐエリアのＴｅｍｐ　Ｔｉｔｌｅ１に１００タイトルまでのタイトル情報を格納し、ステップＳ８６において、Ｔｅｍｐ　Ｔｉｔｌｅ２（ブロック１０７）に１０１タイトル以降のタイトル情報を格納する。
【０１００】
ステップＳ８４またはステップＳ８６の処理の後、ステップＳ８７において、ストレージ情報管理部５は、ＴｅｍｐエリアのＴｅｍｐ　Ｈｅｄｄｅｒ（ブロック１０３）に、格納したデータの位置情報などを格納する。ステップＳ８８において、ストレージ情報管理部５は、ＴｅｍｐエリアのＴｅｍｐ　Ｔｏｃ（ブロック１０４）に格納したＴｏｃを読み出してＳｔｏｒａｇｅエリアのＴｏｃ（ブロック０）に書き込む（すなわち、ＴｅｍｐエリアのＴｅｍｐ　ＴｏｃをＳｔｏｒａｇｅエリアのＴｏｃにコピーする）。
【０１０１】
ステップＳ８９において、ストレージ情報管理部５は、Ｔｅｍｐ　Ｈｅｄｄｅｒに格納されているデータの位置情報に基づいて、ＴｅｍｐエリアのＴｅｍｐ　Ｄｉｓｃ（ブロック１０５）を、ＳｔｏｒａｇｅエリアのＤｉｓｃ（ブロック１またはブロック２）にコピーする。
【０１０２】
ステップＳ９０において、ストレージ情報管理部５は、Ｔｅｍｐ　Ｈｅｄｄｅｒに格納されているデータの位置情報に基づいて、ＴｅｍｐエリアのＴｅｍｐ　Ｔｉｔｌｅ１をＳｔｏｒａｇｅエリアのＴｉｔｌｅ（例えば、ブロック１０３）にコピーするとともに、ＴｅｍｐエリアのＴｅｍｐ　Ｔｉｔｌｅ２にもタイトル情報が格納されている場合には、それをＳｔｏｒａｇｅエリアのＴｉｔｌｅ（例えば、ブロック１０４）にコピーする。
【０１０３】
ステップＳ９１において、ストレージ情報管理部５は、ＴｅｍｐエリアのＴｅｍｐ　Ｈｅｄｄｅｒの情報をクリアし、図４のステップＳ１４にリターンする。
【０１０４】
ステップＳ１４において、情報制御部２は、ユーザの操作に応じてＡＶシステムの電源がオフされたか否かを判断し、電源がオフされていないと判断した場合、ステップＳ９に戻り、上述した処理を繰り返し実行する。ステップＳ１４において、電源がオフされたと判断された場合、処理は終了される。
【０１０５】
以上の処理においては、ユーザからの指示に応じてライブラリリストを表示させるようにしたが、ユーザからの指示に関わらず、ＡＶシステムの電源がオンされた場合に、ライブラリリストが表示されるようにしてもよい。
【０１０６】
以上においては、ディスク１をＡＶシステムのドライブに装着し、そこからディスク情報やタイトル情報を読み出して、逐次、記憶部８に格納する例について説明したが、本発明はこれに限らず、ディスク１を装着することが可能な各種の電子装置に広く適用することができる。
【０１０７】
上述した一連の処理は、その機能を有するハードウェアにより実行させることもできるが、その機能を有するソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム格納媒体からインストールされる。
【０１０８】
図１４は、汎用のコンピュータの内部の構成例を示す図である。コンピュータのＣＰＵ（Ｃｅｎｔｒａｌ　Ｐｒｏｃｅｓｓｉｎｇ　Ｕｎｉｔ）１０１は、ＲＯＭ（Ｒｅａｄ　Ｏｎｌｙ　Ｍｅｍｏｒｙ）１０２に記憶されているプログラム、または記憶部１０８からＲＡＭ（Ｒａｎｄｏｍ　Ａｃｃｅｓｓ　Ｍｅｍｏｒｙ）１０３にロードされたプログラムに従って各種の処理を実行する。ＲＡＭ１０３にはまた、ＣＰＵ１０１が各種の処理を実行する上において必要なデータなども適宜記憶される。
【０１０９】
ＣＰＵ１０１、ＲＯＭ１０２、およびＲＡＭ１０３は、バス１０４を介して相互に接続されている。このバス１０４にはまた、入出力インターフェース１０５も接続されている。
【０１１０】
入出力インターフェース１０５には、ボタン、スイッチ、キーボードあるいはマウスなどで構成される構成される入力部１０６、ＣＲＴ（Ｃａｔｈｏｄｅ　Ｒａｙ　Ｔｕｂｅ）やＬＣＤなどのディスプレイ、並びにスピーカなどで構成される出力部１０７、ハードディスクなどで構成される記憶部１０８、およびモデムやターミナルアダプタなどで構成される通信部１０９が接続されている。通信部１０９は、インターネットを含むネットワークを介して通信処理を行う。
【０１１１】
入出力インターフェース１０５にはまた、必要に応じてドライブ１１０が接続され、磁気ディスク１１１、光ディスク１１２、光磁気ディスク１１３、あるいは半導体メモリ１１４などが適宜装着され、そこから読み出されたコンピュータプログラムが、記憶部１０８にインストールされる。
【０１１２】
コンピュータにインストールされ、コンピュータによって実行可能な状態とされるプログラムを格納する記録媒体は、図１４に示されるように、磁気ディスク１１１（フレキシブルディスクを含む）、光ディスク１１２（ＣＤ−ＲＯＭ（Ｃｏｍｐａｃｔ　Ｄｉｓｃ−Ｒｅａｄ　Ｏｎｌｙ　Ｍｅｍｏｒｙ）、ＤＶＤ（Ｄｉｇｉｔａｌ　Ｖｅｒｓａｔｉｌｅ　Ｄｉｓｃ）を含む）、光磁気ディスク１１３（ＭＤ（Ｍｉｎｉ−Ｄｉｓｃ）（登録商標）を含む）、もしくは半導体メモリ１１４またはなどよりなるパッケージメディアにより構成されるだけでなく、コンピュータに予め組み込まれた状態でユーザに提供される、プログラムが一時的もしくは永続的に記録されるＲＯＭ１０２や記憶部１０８などにより構成される。プログラム格納媒体へのプログラムの格納は、必要に応じてルータ、モデムなどの通信部１０９を介して、公衆回線網、ローカルエリアネットワーク、インターネット、デジタル衛星放送といった、有線または無線の通信媒体を利用して行われる。
【０１１３】
なお、本明細書において、プログラム格納媒体に格納されるプログラムを記述するステップは、記載された順序に沿って時系列的に行われる処理はもちろん、必ずしも時系列的に処理されなくとも、並列的あるいは個別に実行される処理をも含むものである。
【０１１４】
また、本明細書において、システムとは、複数の装置により構成される装置全体を表わすものである。
【０１１５】
【発明の効果】
以上の如く本発明の情報処理装置および方法、並びにプログラムによれば、着脱自在の記録媒体に関する第１の情報と、記録媒体に記録されているコンテンツデータに関する第２の情報を少なくとも含む記録媒体情報を記憶し、その記録媒体情報の表示が指示された場合、ユーザにより付けられた名称を有さない記録媒体に対して、第１の情報または第２の情報に含まれる情報から、記録媒体の名称を生成し、その生成された記録媒体の名称、第１の情報、および第２の情報を用いて、指示された記録媒体情報を表示するように制御するようにしたので、記録容量の大きい記録媒体に、どのようなデータが記録されているかの手がかりとなるデータをユーザに提供することが可能となり、ユーザは、記録媒体の管理をしやすくなるという利点が望める。
【図面の簡単な説明】
【図１】本発明を適用したＡＶシステムの一実施の形態の構成を示す図である。
【図２】記憶部が格納するカレント情報の一例を示す図である。
【図３】記憶部に格納されるカレント情報のデータ構造を示す図である。
【図４】定常処理を説明するフローチャートである。
【図５】図４のステップＳ２の２重化処理の詳細を説明するフローチャートである。
【図６】ライブラリリスト画面の表示例を示す図である。
【図７】図４のステップＳ７の名称付加処理の詳細を説明するフローチャートである。
【図８】図４のステップＳ７の名称付加処理の他の詳細を説明するフローチャートである。
【図９】図４のステップＳ７の名称付加処理のさらに他の詳細を説明するフローチャートである。
【図１０】ライブラリリストのサブメニューの表示例を示す図である。
【図１１】ディスク情報のダイアログ画面の表示例を示す図である。
【図１２】ディスク情報のダイアログ画面の他の表示例を示す図である。
【図１３】図４のステップＳ１３の２重化格納処理の詳細を説明するフローチャートである。
【図１４】汎用のコンピュータの内部の構成例を示す図である。
【符号の説明】
１　ディスク，　２　情報制御部，　３　記録再生部，　４　カレントディスク情報管理部，　５　ストレージ情報管理部，　６　名称付加部，　７　記憶部，　８　表示部，　９　スピーカ，　１０　入力部，　２１　ディスク情報，　２２−１乃至２２−Ｎ　タイトル情報
【図１】
2004039077.tif 000003
【図２】
2004039077.tif 000004
【図３】
2004039077.tif 000005
【図４】
2004039077.tif 000006
【図５】
2004039077.tif 000007
【図６】
2004039077.tif 000008
【図７】
2004039077.tif 000009
【図８】
2004039077.tif 000010
【図９】
2004039077.tif 000011
【図１０】
2004039077.tif 000012
【図１１】
2004039077.tif 000013
【図１２】
2004039077.tif 000014
【図１３】
2004039077.tif 000015
【図１４】
2004039077.tif 000016